【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】
複数の情報記録層が積層され、これら各情報記録層について独立して情報の記録再生が可能な光記録媒体に対し、光照射手段より記録再生のための光を片面側から入射させる光記録再生装置において、
前記光記録媒体における複数の情報記録層のうち、光入射側のものを第１の情報記録層とし、この第１の情報記録層に対して光入射側とは反対側に隣り合うものを第２の情報記録層としたときに、第１の情報記録層における記録可能領域の全領域についての記録が完了した後に、第２の情報記録層の記録可能領域についての記録または再生が行われるように、前記光照射手段を制御する制御手段を備えていることを特徴とする光記録再生装置。
【請求項２】
複数の情報記録層が積層され、片面側から入射される光により、各情報記録層について独立して情報の記録再生が可能な光記録媒体において、
複数の前記情報記録層のうち、光入射側のものを第１の情報記録層とし、第１の情報記録層に対して光入射側とは反対側に隣り合うものを第２の情報記録層としたときに、第１の情報記録層における記録可能領域は、第１および第２の情報記録層の積層方向において、第２の情報記録層の記録可能領域と重なり合う領域よりも拡張された拡張領域を有していることを特徴とする光記録媒体。
【請求項３】
前記の拡張領域は、予め記録完了状態とされた擬似記録領域となっていることを特徴とする請求項２に記載の光記録媒体。
【請求項４】
前記の擬似記録領域には、個々の光記録媒体に固有であり、その光記録媒体を他のものと識別するための識別情報が記録されていることを特徴とする請求項３に記載の光記録媒体。
【請求項５】
前記の擬似記録領域には、光記録媒体に記録する情報を暗号化するための暗号化情報が記録されていることを特徴とすると請求項３に記載の光記録媒体。
【請求項６】
前記擬似記録領域における情報の書き換えが不可となっていることを特徴とする請求項４または５に記載の光記録媒体。
【請求項７】
第１および第２の情報記録層の記録可能領域は記録が行われた場合に光の透過率または反射率が変化することを特徴とする請求項２に記載の光記録媒体。
【請求項８】
前記拡張領域には試し書きのための領域が割り当てられていることを特徴とする請求項２に記載の光記録媒体。
【請求項９】
ディスク形状に形成されていることを特徴とする請求項２に記載の光記録媒体。
【請求項１０】
請求項２に記載の光記録媒体を使用し、光照射手段より記録再生のための光を片面側から入射させる光記録再生装置において、
前記光記録媒体の第１の情報記録層における記録可能領域の拡張領域以外の領域についての記録に先立って、前記光記録媒体の拡張領域が記録完了状態となるように、前記光照射手段を制御する制御手段を備えていることを特徴とする光記録再生装置。
【請求項１１】
請求項５に記載の光記録媒体を使用し、光照射手段より記録再生のための光を片面側から入射させる光記録再生装置において、
前記擬似記録領域の暗号化情報を参照して、光記録媒体への記録情報を暗号化する暗号化手段と、
この暗号化手段により暗号化された記録情報が前記情報記録層に記録されるように、前記光照射手段を制御する制御手段とを備えていることを特徴とする光記録再生装置。
【請求項１２】
請求項２に記載の光記録媒体を使用し、光照射手段より記録再生のための光を片面側から入射させる光記録再生装置において、
個々の光記録再生装置に固有であり、その光記録再生装置を他のものと識別するための識別情報を記憶する識別情報記憶手段と、
前記光記録媒体の拡張領域に前記識別情報が記録されるように、前記光照射手段を制御する制御手段とを備えていることを特徴とする光記録再生装置。
【請求項１３】
光記録媒体の前記拡張領域から得られた識別情報と前記識別情報記憶手段に記憶された光記録再生装置の識別情報との一致の有無を判定する判定手段を備え、
前記制御手段は、光記録媒体を再生する際に、光記録媒体における前記拡張領域の識別情報が再生されるように前記光照射手段を制御するとともに、前記判定手段により前記両識別情報が一致していると判定されたときにのみ、情報記録層の前記拡張領域以外の記録可能領域についての再生を開始させることを特徴とする請求項１２に記載の光記録再生装置。
【請求項１４】
請求項２に記載の光記録媒体を使用し、光照射手段より記録再生のための光を片面側から入射させる光記録再生装置において、
光記録媒体に記録する情報を暗号化するための暗号化情報を記憶する暗号化情報記憶手段と、
前記光記録媒体の拡張領域に前記暗号化情報が記録されるように、前記光照射手段を制御する制御手段とを備えていることを特徴とする光記録再生装置。
【請求項１５】
前記拡張領域の暗号化情報を参照して、光記録媒体への記録情報を暗号化する暗号化手段を備え、
前記制御手段は、前記暗号化手段により暗号化された記録情報が前記情報記録層に記録されるように、前記光照射手段を制御することを特徴とする請求項１４に記載の光記録再生装置。
【請求項１６】
前記の制御手段は、前記暗号化情報記憶手段に記憶された暗号化情報と同一の暗号化情報に基づいて暗号化された記録情報のみについて再生動作が行われるように制御することを特徴とする請求項１５に記載の光記録再生装置。
【請求項１７】
請求項２に記載の光記録媒体を使用し、光照射手段より記録再生のための光を片面側から入射させる光記録再生装置において、
前記情報記録層に対する試し書きが前記拡張領域において行われるように、前記光照射手段を制御する制御手段を備えていることを特徴とする光記録再生装置。
【請求項１８】
複数の情報記録層が積層され、これら各情報記録層について独立して情報の記録再生が可能な光記録媒体に対し、記録再生のための光を片面側から入射させる光記録再生方法において、
前記光記録媒体における複数の情報記録層のうち、光入射側のものを第１の情報記録層とし、この第１の情報記録層に対して光入射側とは反対側に隣り合うものを第２の情報記録層としたときに、第１の情報記録層における記録可能領域の全領域についての記録が完了した後に、第２の情報記録層の記録または再生を行うことを特徴とする光記録再生方法。
【請求項１９】
請求項２に記載の光記録媒体を使用し、前記光記録媒体の第１の情報記録層における記録可能領域の拡張領域以外の領域についての記録に先立って、前記拡張領域が記録完了状態となるように記録することを特徴とする光記録再生方法。
【請求項２０】
請求項５に記載の光記録媒体を使用し、前記擬似記録領域の暗号化情報を参照して、光記録媒体への記録情報を暗号化し、暗号化された記録情報を前記情報記録層に記録することを特徴とする光記録再生方法。
【請求項２１】
請求項２に記載の光記録媒体を使用し、この光記録媒体に対して記録再生を行う個々の光記録再生装置に固有であり、その光記録再生装置を他のものと識別するための識別情報を前記拡張領域に記録することを特徴とする光記録再生方法。
【請求項２２】
光記録媒体を再生する際に、光記録媒体における前記拡張領域の識別情報を再生し、前記拡張領域から得られた識別情報と前記光記録再生装置の識別情報との一致の有無を判定し、前記両識別情報が一致していると判定したときにのみ、情報記録層の前記拡張領域以外の記録可能領域についての再生を開始することを特徴とする請求項２１に記載の光記録再生方法。
【請求項２３】
請求項２に記載の光記録媒体を使用し、光記録媒体に記録する情報を暗号化するための暗号化情報を予め用意し、この暗号化情報を前記拡張領域に記録することを特徴とする光記録再生方法。
【請求項２４】
前記拡張領域の暗号化情報を参照して、光記録媒体への記録情報を暗号化し、暗号化された記録情報を前記情報記録層に記録することを特徴とする請求項２３に記載の光記録再生方法。
【請求項２５】
予め用意した前記暗号化情報と同一の暗号化情報に基づいて暗号化された記録情報のみについて再生動作を行うことを特徴とする請求項２４に記載の光記録再生方法。
【請求項２６】
請求項２に記載の光記録媒体を使用し、前記情報記録層に対する試し書きを前記拡張領域において行うことを特徴とする光記録再生方法。